(57)【要約】【課題】専用のＤＴＥアドレス−ＩＰアドレス変換機が不要で、簡易な構成によりＸ．２５プロトコル端末をＩＰネットワークに接続することが可能なＸ．２５−ＩＰプロトコル変換機アドレス認証システム等を提供する。【解決手段】ＩＰネットワーク１０００に接続されたＸ．２５端末１０、２０のＤＴＥアドレスを電話番号の代わりにＳＩＰサーバ３００に通知する手段と、ＳＩＰサーバに登録されたＩＰアドレスとＤＴＥアドレスとを取得する手段と、ＳＩＰサーバより取得したＩＰアドレスと、ＤＴＥアドレスとに基づいて、他のプロトコル変換機へ通信する通信手段とを備えるＸ．２５−ＩＰプロトコル変換機１００、２００と、Ｘ．２５−ＩＰプロトコル変換機から通知されたＩＰアドレスと、ＤＴＥアドレスとを登録する登録手段を備えるＳＩＰサーバとで構成される認証システム。【選択図】図１
2007189483.tif 000002
【特許請求の範囲】
【請求項１】
Ｘ．２５端末をＩＰネットワークへ接続するためのＸ．２５−ＩＰプロトコル変換機アドレス認証システムであって、
前記ＩＰネットワークに接続されたＸ．２５端末のＤＴＥアドレスを電話番号の代わりにＳＩＰサーバに通知する手段と、該ＳＩＰサーバに登録されたＩＰアドレスとＤＴＥアドレスとを取得する手段と、前記ＳＩＰサーバより取得したＩＰアドレスと、ＤＴＥアドレスとに基づいて、他のプロトコル変換機へ通信する通信手段とを備えるＸ．２５−ＩＰプロトコル変換機と、
該Ｘ．２５−ＩＰプロトコル変換機から通知された前記ＩＰアドレスと、ＤＴＥアドレスとを登録する登録手段を備えるＳＩＰサーバとで構成されることを特徴とするＸ．２５−ＩＰプロトコル変換機アドレス認証システム。
【請求項２】
Ｘ．２５端末をＩＰネットワークへ接続するためのＸ．２５−ＩＰプロトコル変換機であって、
前記ＩＰネットワークに接続されたＸ．２５端末のＤＴＥアドレスを電話番号の代わりにＳＩＰサーバに通知する手段と、
該ＳＩＰサーバに登録されたＩＰアドレスとＤＴＥアドレスとを取得する手段と、
前記ＳＩＰサーバより取得したＩＰアドレスと、ＤＴＥアドレスとに基づいて、他のプロトコル変換機へ通信する通信手段とを備えることを特徴とするＸ．２５−ＩＰプロトコル変換機。
【発明の詳細な説明】
【技術分野】
【０００１】
本発明は、Ｘ．２５−ＩＰプロトコル変換機アドレス認証システムに関し、特に、ＶｏＩＰシステムへＸ．２５プロトコルを収容するためのＸ．２５−ＩＰプロトコル変換機において相手先のＩＰアドレスを認証するシステム等に関する。
【背景技術】
【０００２】
従来のＸ．２５プロトコルと、ＩＰネットワークシステムの一例が、特許文献１に記載されている。このＸ．２５−ＩＰ統合ネットワークシステムは、同文献の図１に示されるように、専用のＤＴＥアドレス−ＩＰアドレス変換装置（アドレス・リゾリューション・サーバ）と、Ｘ．２５−ＩＰプロトコル変換装置（ゲートウェイ装置）とで構成される。このような構成により、Ｘ．２５プロトコルのＤＴＥアドレスに基づいて、専用のＤＴＥアドレス−ＩＰアドレス変換装置から接続先のＩＰアドレスを取得し、接続先を識別して通信を確立する。
【０００３】
【特許文献１】特開２００３−５１８５６号公報
【発明の開示】
【発明が解決しようとする課題】
【０００４】
しかし、上記従来のＸ．２５−ＩＰ統合ネットワークシステム等においては、Ｘ．２５プロトコル端末をＩＰネットワークに接続する場合、通信相手として固定されていないＸ．２５プロトコル端末の通信先ＩＰアドレスを検索する必要があるため、Ｘ．２５−ＩＰプロトコル変換機の他に、接続先ＩＰアドレスを検索するため、専用のＤＴＥアドレス−ＩＰアドレス変換機が必要になるという問題があった。
【０００５】
そこで、本発明は、上記従来のＸ．２５−ＩＰ統合ネットワークシステム等における問題点に鑑みてなされたものであって、専用のＤＴＥアドレス−ＩＰアドレス変換機が不要で、簡易な構成によりＸ．２５プロトコル端末をＩＰネットワークに接続することができ、設備コストを抑えることのできるＸ．２５−ＩＰプロトコル変換機アドレス認証システム等を提供することを目的とする。
【課題を解決するための手段】
【０００６】
上記目的を達成するため、本発明は、Ｘ．２５端末をＩＰネットワークへ接続するためのＸ．２５−ＩＰプロトコル変換機アドレス認証システムであって、前記ＩＰネットワークに接続されたＸ．２５端末のＤＴＥアドレスを電話番号の代わりにＳＩＰサーバに通知する手段と、該ＳＩＰサーバに登録されたＩＰアドレスとＤＴＥアドレスとを取得する手段と、前記ＳＩＰサーバより取得したＩＰアドレスと、ＤＴＥアドレスとに基づいて、他のプロトコル変換機へ通信する通信手段とを備えるＸ．２５−ＩＰプロトコル変換機と、該Ｘ．２５−ＩＰプロトコル変換機から通知された前記ＩＰアドレスと、ＤＴＥアドレスとを登録する登録手段を備えるＳＩＰサーバとで構成されることを特徴とする。
【０００７】
そして、本発明によれば、ＳＩＰ手順によるＩＰアドレス認証手段をＸ．２５−ＩＰプロトコル変換機に実装することで、Ｘ．２５ＤＴＥアドレスをあたかも電話番号にみせかけるよう動作する。このような構成を採用し、本来のＳＩＰサーバによる電話番号−ＩＰアドレス変換をＤＴＥアドレス−ＩＰアドレス変換とすることにより、Ｘ．２５−ＩＰプロトコル変換機を使用してＩＰネットワークにＸ．２５端末を接続する場合に、従来必要であった専用のＤＴＥアドレス−ＩＰアドレス変換機が不要になる。また、Ｘ．２５端末を新設する場合に、既設のＸ．２５−ＩＰプロトコル変換機に新たな操作や登録が不要にになる。
【０００８】
また、本発明は、Ｘ．２５端末をＩＰネットワークへ接続するためのＸ．２５−ＩＰプロトコル変換機であって、前記ＩＰネットワークに接続されたＸ．２５端末のＤＴＥアドレスを電話番号の代わりにＳＩＰサーバに通知する手段と、該ＳＩＰサーバに登録されたＩＰアドレスとＤＴＥアドレスとを取得する手段と、前記ＳＩＰサーバより取得したＩＰアドレスと、ＤＴＥアドレスとに基づいて、他のプロトコル変換機へ通信する通信手段とを備えることを特徴とする。
【０００９】
このＸ．２５−ＩＰプロトコル変換機と、該Ｘ．２５−ＩＰプロトコル変換機から通知された前記ＩＰアドレスと、ＤＴＥアドレスとを登録する登録手段を備えるＳＩＰサーバとを組み合わせることにより、上述のように、Ｘ．２５−ＩＰプロトコル変換機を使用してＩＰネットワークにＸ．２５端末を接続する場合に、従来必要であった専用のＤＴＥアドレス−ＩＰアドレス変換機が不要になり、Ｘ．２５端末を新設する場合でも、既設のＸ．２５−ＩＰプロトコル変換機に新たな操作や登録をする必要がない。
【発明の効果】
【００１０】
以上のように、本発明によれば、専用のＤＴＥアドレス−ＩＰアドレス変換機が不要で、簡易な構成によりＸ．２５プロトコル端末をＩＰネットワークに接続することができ、設備コストを抑えることなどが可能となる。
【発明を実施するための最良の形態】
【００１１】
次に、本発明の実施の形態について、図面を参照しながら説明する。
【００１２】
図１は、本発明にかかるＸ．２５−ＩＰプロトコル変換機アドレス認証システムの一実施の形態を示し、このＸ．２５−ＩＰプロトコル変換機アドレス認証システムは、Ｘ．２５端末１０、２０をＩＰネットワーク１０００に接続するためのＸ．２５−ＩＰプロトコル変換機１００、２００と、アドレス管理を行うＳＩＰサーバ３００とで構成される。
【００１３】
Ｘ．２５端末１０は、Ｘ．２５−ＩＰプロトコル変換機１００を介してＩＰネットワーク１０００に接続され、ＳＩＰサーバ３００に電話番号の代わりに、Ｘ．２５端末のＤＴＥアドレスをＳＩＰ手順にて送信することで、Ｘ．２５端末２０のＩＰアドレスを取得する機能を有する。尚、Ｘ．２５端末２０も、Ｘ．２５端末１０と同様に構成される。
【００１４】
Ｘ．２５−ＩＰプロトコル変換機１００は、ＳＩＰサーバ３００へのＳＩＰプロトコル手順の電話番号から相手先ＩＰアドレスを識別する手段と、電話番号の代わりにＤＴＥアドレスを付加する手段とを備え、ＳＩＰサーバ３００より通知されたＸ．２５−ＩＰプロトコル変換機２００のＩＰアドレスに基づき、ＩＰネットワーク１０００を経由し、バーチャルコネクト形態にてＸ．２５端末２０に呼接続を行う通信機能を有する。尚、Ｘ．２５−ＩＰプロトコル変換機２００も、Ｘ．２５−ＩＰプロトコル変換機１００と同様に構成される。
【００１５】
アドレス管理を行うＳＩＰサーバ３００は、標準品であって、Ｘ．２５パケットをＩＰ化する場合のＤＴＥアドレスを、電話番号と同様にＩＰアドレスと合わせて一元管理する。
【００１６】
次に、上記構成を有するＸ．２５−ＩＰプロトコル変換機アドレス認証システムの動作について、図１及び図２を参照しながら説明する。
【００１７】
まず、Ｘ．２５−ＩＰプロトコル変換機１００、２００によって、ＳＩＰサーバ３００に、Ｘ．２５端末１０、２０のＤＴＥアドレスと、Ｘ．２５−ＩＰプロトコル変換機１００、２００のＩＰアドレスを登録する。
【００１８】
Ｘ．２５−ＩＰプロトコル変換機１００は、Ｘ．２５端末１０からの呼接続要求パケット９０を受信すると、ＳＩＰサーバ３００に呼接続要求パケット９０の相手先ＤＴＥアドレスを電話番号の代わりに付加したＩＰパケット（ＩＮＶＩＴＥ）９００を送信する。
【００１９】
ＩＰパケット（ＩＮＶＩＴＥ）９００を受信したＳＩＰサーバ３００は、通常のＶｏＩＰ電話接続手段と同様の処理を行い、相手先ＩＰアドレスを通知するＩＰパケット（Ｍｏｖｅｄ）９０１を返信する。
【００２０】
ＩＰパケット（Ｍｏｖｅｄ）９０１により、相手先Ｘ．２５−ＩＰプロトコル変換機２００のＩＰアドレスを認識したＸ．２５−ＩＰプロトコル変換機１００は、ＳＩＰサーバ３００に応答ＩＰパケット（ＡＣＫ）９０２を送信するとともに、呼接続要求パケット９０をＩＰ化し、ＩＰパケット９９０としてＸ．２５−ＩＰプロトコル変換機２００に送信する。
【００２１】
ＩＰパケット９９０を受信したＸ．２５−ＩＰプロトコル変換機２００は、Ｘ．２５端末２０に呼接続要求パケット９０を送信する。呼接続要求パケット９０を受信したＸ．２５端末２０は、着呼受付パケット９１を送信し、呼接続の完了を通知する。
【００２２】
着呼受付パケット９１を受信したＸ．２５−ＩＰプロトコル変換機２００は、着呼受付パケット９１をＩＰ化し、ＩＰパケット９９１としてＸ．２５−ＩＰプロトコル変換機１００へ送信する。
【００２３】
ＩＰパケット９９１を受信したＸ．２５−ＩＰアドレス変換機１００は、着呼受付パケット９１を送信し、呼接続処理を終了する。
【産業上の利用可能性】
【００２４】
本発明にかかるＸ．２５−ＩＰプロトコル変換機アドレス認証システムよれば、インターネットサービスプロバイダ等でのＳＩＰサーバによるＶｏＩＰネットワークへのＸ．２５プロトコルの収容が容易に可能となり、本発明にかかる認証システムを、ＤＤＸ−Ｐ網やＩＮＳ−Ｐ網の代替的な用途に適用することができる。
【図面の簡単な説明】
【００２５】
【図１】本発明にかかるＸ．２５−ＩＰプロトコル変換機アドレス認証システムの一実施の形態を示すブロック図である。
【図２】図１の認証システムの動作を示すシーケンス図である。
【符号の説明】
【００２６】
１０、２０      Ｘ．２５端末
１００、２００  Ｘ．２５−ＩＰプロトコル変換機
３００  ＳＩＰサーバ
１０００        ＩＰネットワーク網
９０    ＣＲ／ＣＮパケット（Ｘ．２５手順）
９１    ＣＡ／ＣＣパケット（Ｘ．２５手順）
９００  ＩＮＶＩＴＥパケット（ＳＩＰ手順）
９０１  ＭＯＶＥＤパケット（ＳＩＰ手順）
９０２  ＡＣＫパケット（ＳＩＰ手順）
【図１】
2007189483.tif 000003
【図２】
2007189483.tif 000004